(57)【要約】【課題】放射線検出器から必要な画素のデータのみを出力できる放射線画像撮影装置を提供する。【解決手段】放射線画像撮影装置10は、放射線検出器18、光検出部19および制御部を備える。放射線検出器18は、複数の画素を有し、被写体を透過した放射線の入射に対応して画素毎に得られるデータを読み出して出力する。光検出部19は、放射線検出器18に放射線を照射する範囲に対応して照射される光14の範囲Ａを検出する。制御部は、放射線検出器18に対して、光検出部19で検出された範囲Ａ内の画素のみからデータを読み出して出力させる。【選択図】図１
2017104366.tif 000002
【特許請求の範囲】
【請求項１】
複数の画素を有し、被写体を透過した放射線の入射に対応して前記画素毎に得られるデータを読み出して出力する放射線検出器と、
前記放射線検出器に放射線を照射する範囲に対応して照射される光の範囲を検出する光検出部と、
前記放射線検出器に対して、前記光検出部で検出された範囲内の前記画素のみからデータを読み出して出力させる制御部と
を具備することを特徴とする放射線画像撮影装置。
【請求項２】
前記光検出部は、前記放射線検出器の表面に設けられた複数の光センサを備える
ことを特徴とする請求項１記載の放射線画像撮影装置。
【請求項３】
前記光検出部は、パネル本体に複数の光センサを設けたセンサパネルを備え、このセンサパネルが前記放射線検出器の表面に配設される
ことを特徴とする請求項１記載の放射線画像撮影装置。
【請求項４】
前記光検出部は、パネル本体、このパネル本体の光が照射される複数の範囲毎にそれぞれ設けられ入射する光を前記パネル本体の外側にそれぞれ導光する複数の導光部、およびこれら導光部で導光される光を検出する光センサを備える
ことを特徴とする請求項１記載の放射線画像撮影装置。
【発明の詳細な説明】
【技術分野】
【０００１】
本発明の実施形態は、放射線画像を撮影する放射線画像撮影装置に関する。
【背景技術】
【０００２】
従来、放射線画像撮影装置では、Ｘ線画像を記録するフィルムから代わって、複数の画素を備えたデジタル式のＸ線平面検出器が使われるようになってきた。複数回Ｘ線撮影を行う際、フィルムの場合にはフィルムの入れ替えが必要であったが、Ｘ線平面検出器の場合にはＸ線撮影したデータを画像処理パソコンに転送するだけでよいため、フィルムの入れ替えなどが不要になっている。
【０００３】
しかしながら、Ｘ線平面検出器は、Ｘ線撮影後に全画素から読み出したデータを画像処理用のパソコンに転送するための通信時間が必要になっている。その通信時間の間、Ｘ線平面検出器は他の動作を一切受け付けず、次回のＸ線撮影の準備が進められないことが多い。
【０００４】
Ｘ線平面検出器の画素数が多くなればなるほど、データ量は大きくなり、通信時間が長くなる。その結果、２枚目以降の連続した撮影準備までの時間が長くなってしまうことが多い。
【０００５】
このように、従来は、Ｘ線平面検出器の大きさに比べて小さな被写体の撮影での場合でも、Ｘ線平面検出器の全画素のデータをパソコンに転送しているので、通信時間が長くかかり、また、データを取得して処理するパソコン側にも負荷をかけていた。
【０００６】
また、一般的に、被写体への被曝量低減や素抜け領域を少なくするために、鉛製のコリメータによってＸ線の照射範囲を絞ることが行われている。Ｘ線技師や医師は主に手動でＸ線の照射範囲と同期するコリメータランプの光でもって目視で照射範囲を決める場合が多いが、自動で照射範囲を決めることもある。
【０００７】
しかしながら、Ｘ線平面検出器は、コリメータで設定したＸ線の照射範囲外の画素を含む全画素のデータを読み出して転送している。
【０００８】
Ｘ線の照射範囲外の画素から読み出されるデータは、散乱Ｘ線やＸ線平面検出器の回路内のノイズであり、本来不要なものである。
【０００９】
また、Ｘ線平面検出器の任意の画素からデータを読み出さないように手動で設定することは可能ではあるが、被写体に合わせたＸ線の照射範囲を決めるのは被写体の状況を見ながらのＸ線撮影直前であるため、手動で設定するのは困難である。
【先行技術文献】
【特許文献】
【００１０】
【特許文献１】国際公開第２０１３／００２０８７号
【発明の概要】
【発明が解決しようとする課題】
【００１１】
本発明が解決しようとする課題は、放射線検出器から必要な画素のデータのみを出力できる放射線画像撮影装置を提供することである。
【課題を解決するための手段】
【００１２】
本実施形態の放射線画像撮影装置は、放射線検出器、光検出部および制御部を備える。放射線検出器は、複数の画素を有し、被写体を透過した放射線の入射に対応して画素毎に得られるデータを読み出して出力する。光検出部は、放射線検出器に放射線を照射する範囲に対応して照射される光の範囲を検出する。制御部は、放射線検出器に対して、光検出部で検出された範囲内の画素のみからデータを読み出して出力させる。
【図面の簡単な説明】
【００１３】
【図１】第１の実施形態を示す放射線画像撮影装置を模式図である。
【図２】同上放射線画像撮影装置の使用状態の模式図である。
【図３】同上放射線画像撮影装置の構成図である。
【図４】第２の実施形態を示す放射線画像撮影装置の模式図である。
【図５】第３の実施形態を示す放射線画像撮影装置の模式図である。
【図６】同上放射線画像撮影装置の断面図である。
【発明を実施するための形態】
【００１４】
以下、第１の実施形態を、図１ないし図３を参照して説明する。
【００１５】
図３に示すように、放射線画像撮影装置10は、放射線としてのＸ線11を照射する放射線発生部12、Ｘ線11を照射する範囲を制限するコリメータ13、光14を発生する光源部15、光源部15からの光14をＸ線11と同軸にコリメータ13に向けて反射するミラー16、被写体17を透過したＸ線11を検出する放射線検出器18、放射線検出器18に照射される光14の範囲を検出する光検出部19、および放射線検出器18を制御する制御部20を備えている。
【００１６】
そして、放射線発生部12は、Ｘ線11を発生するＸ線管を用いている。
【００１７】
また、コリメータ13は、鉛製で、放射線検出器18へ向けて照射するＸ線11および光14の一部を遮蔽するもので、中央にはＸ線11および光14が通過する開口部13aが設けられている。コリメータ13の開口部13aの開口幅は調整可能としており、開口幅に応じてＸ線11および光14の照射範囲が設定される。
【００１８】
また、光源部15は、可視光である光14を発生する点光源が用いられる。
【００１９】
また、ミラー16は、Ｘ線11が透過し、光14を発生する。光源部15からの光14をＸ線11と同軸にコリメータ13に向けて反射する。
【００２０】
したがって、コリメータ13を通じて放射線検出器18に照射されるＸ線11の範囲と光14の範囲とは同じ範囲Ａとなる。
【００２１】
また、図１に示すように、放射線検出器18は、Ｘ線平面検出器（FPD；Flat panel Detector）である。放射線検出器18は、放射線を可視光に変換するシンチレータ層、およびこのシンチレータ層で変換された可視光を検出して電気信号に変換する複数の光電変換素子を備えた光電変換パネルを有している。光電変換パネルには、複数の光源変換素子がマトリクス状に設けられ、すなわち複数の画素がマトリクス状に設けられ、各画素からデータを読み出して出力する。放射線検出器18から出力するデータは画像処理を行うパソコンに転送される。
【００２２】
また、光検出部19は、放射線検出器18の表面にマトリクス状に設けられた複数の光センサ23を備えている。光センサ23は、放射検出器18の表面を覆うカバー上に設置されるか、カバーに埋め込み設置される。
【００２３】
また、制御部20は、光検出部19での検出に基づいて光14が照射される範囲Ａを判断する機能、および放射線検出器18に対して範囲Ａ内にある画素のみからデータを読み出して出力させる機能を有している。
【００２４】
光検出部19での検出に基づいて光14が照射される範囲Ａを判断する機能では、図１に示すように、光14が照射された範囲Ａ内の光センサ23が光を検出し、範囲Ａ外の光センサ23は光を検出しないことから、光14を検出した光センサ23をつなげて形成される四角形の領域を光14が照射される範囲Ａと判断することができる。
【００２５】
そして、Ｘ線撮影動作について説明する。
【００２６】
放射線検出器18に被写体17の撮影箇所を配置し、光源部15からの光14をコリメータ13の開口部13aを通じて被写体17および放射線検出器18に照射し、被写体17に照射された光14の位置および範囲をコリメータ13によって調整する。例えば、図２には、被写体17の足をＸ線撮影する例を示す。
【００２７】
コリメータ13による調整後、制御部20は、光検出部19の複数の光センサ23の検知情報を取得し、光14を検出する光センサ23と光を検出しない光センサ23に基づき、光14を検出した光センサ23をつなげて形成される四角形の領域から、光14が照射される範囲Ａを自動的に特定する。例えば、図２に示すように、足によって遮光される光センサ23は光14を検出しないが、足の周囲の光センサ23が光14を検出することにより、光14が照射される範囲Ａを自動的に特定できる。
【００２８】
放射線発生部12が発生するＸ線11をコリメータ13の開口部13aを通じて被写体17および放射線検出器18の範囲Ａ内に照射する。放射線検出器18の各画素で検出し、範囲Ａ内の各画素ではＸ線11の入射に応じたデータの検出がなされる。
【００２９】
制御部20は、放射線検出器18に対して、範囲Ａ内にある画素のみからデータを読み出し、パソコンへ出力させる。
【００３０】
このように、Ｘ線11が照射される領域Ａを自動的に特定し、その領域Ａ内の画素のデータのみを読み出して出力することにより、放射線検出器18の全画素からデータを読み出して出力する場合に比べて、データ量を減少できる。
【００３１】
データ量が減少することにより、放射線検出器18からパソコンに転送するデータの通信時間が短くなり、連続して撮影する場合の撮影間隔を短縮することができ、さらに、パソコン側でのデータの処理の負担を軽減することができる。
【００３２】
次に、図４に第２の実施形態を示す。第１の実施形態と同じ構成については同じ符号を用い、その構成および作用効果についての説明を省略する。
【００３３】
光検出部19は、平板状のパネル本体26に複数の光センサ27をマトリクス状に設けたセンサパネル28を用いる。このセンサパネル28を放射線検出器18の検出面側に配設する。
【００３４】
このセンサパネル28を用いた場合にも、光14が照射される範囲Ａを検出することができる。
【００３５】
また、放射線検出器18とセンサパネル28との間には、放射線検出器18に斜めに入射する散乱Ｘ線の入射を規制して画像品質を向上させるためのグリッドを設置することができる。
【００３６】
次に、図５および図６に第３の実施形態を示す。第１の実施形態と同じ構成については同じ符号を用い、その構成および作用効果についての説明を省略する。
【００３７】
光検出部19は、導光パネル31、および複数の光センサ32a，32b，32c，32dを備えている。
【００３８】
導光パネル31は、パネル本体33、およびこのパネル本体33の光14が照射される同心上の複数の範囲ａ，ｂ，ｃ，ｄ毎にそれぞれ設けられ入射する光14をパネル本体33の側面にそれぞれ導光する複数の導光部34a，34b，34c，34dが設けられている。導光部34a〜34dは、例えばアクリルによって形成されている。
【００３９】
導光部34aは、パネル本体33の中央の領域に照射される光14をパネル本体33の側面に導光する。導光部34bは、導光部34aの周囲の領域に照射される光14をパネル本体33の側面に導光する。導光部34cは、導光部34bの周囲の領域に照射される光14をパネル本体33の側面に導光する。導光部34dは、導光部34cの周囲の領域に照射される光14をパネル本体33の側面に導光する。
【００４０】
光センサ32a〜32dは、導光部34a〜34dの側面にそれぞれ対向し、それぞれ導光される光を検出する。
【００４１】
そして、例えば、光14が照射される範囲Ａが範囲ａ，ｂである場合は、導光部34a，34bに光が入射し、導光部34a，34bで導光される光14を光センサ32a，32bが検出し、他の光センサ32c，32dは光14を検出しない。
【００４２】
したがって、この導光パネル31を用いた場合にも、光14が照射される範囲Ａを検出することができる。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
10    放射線画像撮影装置
11    放射線としてのＸ線
14    光
17    被写体
18    放射線検出器
19    光検出部
20    制御部
23    光センサ
26    パネル本体
27    光センサ
28    センサパネル
32a，32b，32c，32d    光センサ
33    パネル本体
34a，34b，34c，34d    導光部
Ａ    範囲
【図１】
2017104366.tif 000003
【図２】
2017104366.tif 000004
【図３】
2017104366.tif 000005
【図４】
2017104366.tif 000006
【図５】
2017104366.tif 000007
【図６】
2017104366.tif 000008